(57)【特許請求の範囲】
【請求項１】
映像音声信号と共にカセット番号信号を記録再生する記録再生手段と、前記記録再生手段で記録する映像音声信号に関連した付加情報と当該記録再生装置が記録した前記映像音声信号の記録順に番号を付与するテーブル番号とを記憶する付加情報管理手段と、前記記録再生手段で記録すべきカセット番号信号を生成するカセット番号生成手段と、前記記録再生手段で再生されたカセット番号信号を検出するカセット番号検出手段と、前記カセット番号生成手段及び前記カセット番号検出手段からのカセット番号を前記テーブル番号に基づき数値情報に変換するカセット番号管理手段と、前記カセット番号管理手段で変換された前記数値情報と前記付加情報管理手段に記憶された前記付加情報とのリンク状態及び前記記録再生手段で記録したカセットの記録終端情報をリンク番号として管理するテーブル管理手段と、前記付加情報を表示する表示手段とを備え、
前記記録再生手段で記録した前記映像音声信号を再生するときは、当該映像音声信号が記録されたカセットに対応する前記数値情報及び当該数値情報にリンクする前記リンク状態を検出し、前記付加情報管理手段に記録順に記憶された前記付加情報の中から当該カセットに対応する付加情報のみを検出すると共に、当該リンク状態に基づく前記リンク番号順で前記付加情報を前記表示手段に表示するように構成したことを特徴とする磁気記録再生装置。
【発明の詳細な説明】
【０００１】
【発明の属する技術分野】
本発明は、複数のカセットに記録された映像音声信号に関連した情報を記憶し、個々のカセット番号で検索が可能な磁気記録再生装置に関するものである。
【０００２】
【従来の技術】
従来、カセットに番号を割り振り、記録時にカセット番号とその番組情報を記憶手段に記録し、使用者の要求に応じてカセットの番組情報を画面表示及び検索可能な磁気記録再生装置があり、これを一般に目次機能といわれている。
【０００３】
従来は、カセット番号と、映像音声信号の記録日時やタイトルなどの情報（以下、番組情報とする。）は同一の記憶手段に記録され、予め記録できる最大のカセット番号で領域を分割し、分割された個々の領域に番組情報を格納していた。
【０００４】
従来における番組情報の記録再生動作に付いて図面を用いて説明する。
図３は従来の目次機能を持つ磁気記録再生装置のブロック図で、番組情報の管理が可能な構成を示すものである。図４は従来の磁気記録再生装置における付加情報管理部の記憶状態を示すメモリマップである。図３において、２５は映像音声信号が入力される映像音声入力部、２６は映像音声入力部２５から入力された映像音声信号に関する付加情報（記録日時やタイトルなど）を発生する付加情報発生部、２４は付加情報発生部２６からの付加情報をカセット単位で記憶する付加情報管理部で、その記憶状態は図４のメモリマップに示すように、カセット毎に一定の記憶領域及び記憶容量を設定している。２１はカセットに内装されたテープに前記映像音声入力部２５からの映像音声信号と後述するカセット番号生成部２２からのカセット番号信号を記録及び再生する記録再生部である。２２は付加情報管理部２４からの制御により、付加情報管理部２４で記憶された付加情報に対応するカセットの番号を生成するカセット番号生成部、２３は記録再生部２１における再生時にテープに記録されたカセット番号を検出するカセット番号検出部、２７はカセット番号検出部２３で検出されたカセット番号に対応する付加情報を付加情報管理部２４から読み出して画面表示する表示部である。
【０００５】
以上のように構成された従来の磁気記録再生装置において、以下その動作について説明する。
【０００６】
まず、映像音声信号の記録時の動作について説明する。映像音声入力部２５に入力された映像音声信号は記録再生部２１に入力される。また、入力された映像音声信号の記録日時やタイトルなどの付加情報が付加情報発生部２６で発生する。その付加情報は、付加情報管理部２４に入力され記憶される。付加情報管理部２４はカセット番号生成部２２に制御信号を出力し、カセット番号生成部２２はその制御信号に基づいて、記録されるカセットに対応した番号をカセット番号として生成する。そのカセット番号を記録再生部２１で、映像音声信号と共にテープに記録する。
【０００７】
次に再生時の動作について説明する。記録再生部２１で映像音声信号を再生すると同時にカセット番号検出部２３で、再生中のテープのカセット番号を検出する。映像音声信号は表示部２７に入力され、画面表示される。カセット番号検出部２３で検出されたカセット番号は付加情報管理部２４に入力され、付加情報管理部２４に記憶された付加情報の中から、そのカセット番号に対応した付加情報を読み出す。読み出した付加情報は、表示部２７に出力され、表示指令に基づいて画面表示が可能になる。
【０００８】
【発明が解決しようとする課題】
しかしながら上記の従来の構成では、付加情報管理部２４で記憶管理している付加情報は、図４に示すように予めカセット単位に分割され容量が決まっており、１つのカセットに対応する付加情報を格納できる数が限られてしまい、その容量以上に記憶することができないという問題点があった。また、カセット１つ当たりに格納すべき付加情報が少ない場合に、カセット単位の記憶領域に空き領域が出来る為、記憶領域に無駄が生じてしまうという問題点を有していた。
【０００９】
本発明は上記問題点を解決するもので、付加情報管理部においてカセット毎に領域を区切って記憶する方式ではなく、記録した順番に付加情報を記憶しリンク情報でカセット毎の管理を行うので、付加情報管理部における記憶管理を効率良く行える磁気記録再生装置を提供することを目的とする。
【００１０】
【課題を解決するための手段】
上記問題点を解決するために本発明の磁気記録再生装置は、映像音声信号と共にカセット番号信号を記録再生する記録再生手段と、記録再生手段で記録する映像音声信号に関連した付加情報と当該記録再生装置が記録した映像音声信号の記録順に番号を付与するテーブル番号とを記憶する付加情報管理手段と、記録再生手段で記録すべきカセット番号信号を生成するカセット番号生成手段と、記録再生手段で再生されたカセット番号信号を検出するカセット番号検出手段と、カセット番号生成手段及びカセット番号検出手段からのカセット番号をテーブル番号に基づき数値情報に変換するカセット番号管理手段と、カセット番号管理手段で変換された数値情報と付加情報管理手段に記憶された付加情報とのリンク状態及び記録再生手段で記録したカセットの記録終端情報をリンク番号として管理するテーブル管理手段と、付加情報を表示する表示手段とを備え、記録再生手段で記録した映像音声信号を再生するときは、当該映像音声信号が記録されたカセットに対応する数値情報及び当該数値情報にリンクするリンク状態を検出し、付加情報管理手段に記録順に記憶された付加情報の中から当該カセットに対応する付加情報のみを検出すると共に、当該リンク状態に基づくリンク番号順で付加情報を表示手段に表示するように構成したものである。
【００１１】
【発明の実施の形態】
本発明の請求項１に記載の発明は、映像音声信号と共にカセット番号信号を記録再生する記録再生手段と、記録再生手段で記録する映像音声信号に関連した付加情報と当該記録再生装置が記録した映像音声信号の記録順に番号を付与するテーブル番号とを記憶する付加情報管理手段と、記録再生手段で記録すべきカセット番号信号を生成するカセット番号生成手段と、記録再生手段で再生されたカセット番号信号を検出するカセット番号検出手段と、カセット番号生成手段及びカセット番号検出手段からのカセット番号をテーブル番号に基づき数値情報に変換するカセット番号管理手段と、カセット番号管理手段で変換された数値情報と付加情報管理手段に記憶された付加情報とのリンク状態及び記録再生手段で記録したカセットの記録終端情報をリンク番号として管理するテーブル管理手段と、付加情報を表示する表示手段とを備え、記録再生手段で記録した映像音声信号を再生するときは、当該映像音声信号が記録されたカセットに対応する数値情報及び当該数値情報にリンクするリンク状態を検出し、付加情報管理手段に記録順に記憶された付加情報の中から当該カセットに対応する付加情報のみを検出すると共に、当該リンク状態に基づくリンク番号順で付加情報を表示手段に表示するように構成したものであり、これにより信号の記録時にカセット番号生成部で指定したカセット番号はカセット番号管理部で管理され、信号の再生時にはカセット番号検出部で検出したカセット番号がカセット番号管理部からテーブル管理部へ出力される。付加情報管理部では、記憶領域の許す限り付加情報のみをメモリし、テーブル管理部では、実際の番組情報の配置をリンク情報として管理する。カセット単独の情報と個々の付加情報のを分離し、テーブル管理部で情報の並びを制御する事により、カセット数に影響されずに付加情報を管理する事が出来ると共に、付加情報の数に影響される事なく最大のカセットを管理する事が出来る。
【００１２】
以下、本発明の実施の形態について、図面を用いて説明する。
（実施の形態１）
図１は本実施の形態の目次機能を備えた磁気記録再生装置のブロック図、図２は同実施の形態におけるカセット番号と付加情報とのリンク状態を示す模式図である。図１において、７は映像音声信号が入力される映像音声入力部、８は映像音声入力部７から入力された映像音声信号に関する付加情報（記録日時やタイトルなど）を発生する付加情報発生部、４は付加情報発生部８からの付加情報を記録再生部１における記録順に記憶する付加情報管理手段である付加情報管理部、１はカセットに内装されたテープに映像音声入力部７からの映像音声信号と後述するカセット番号生成部２からのカセット番号信号とを記録及び再生する記録再生手段である記録再生部である。２は付加情報管理部４で記憶された付加情報に対応するカセットの番号を生成するカセット番号生成手段であるカセット番号生成部、３は記録再生部１における再生時にテープに記録されたカセット番号を検出するカセット番号検出手段であるカセット番号検出部、９は記録再生部１で再生された映像音声信号を表示可能であると共に、カセット番号検出部３で検出されたカセット番号に対応する付加情報を付加情報管理部４から読み出して画面表示する表示部で、本実施の形態ではテレビジョン受像機を用いている。５はカセット番号生成部２及びカセット番号検出部３からのカセット番号を数値情報に変換するカセット番号管理手段であるカセット番号管理部、６はカセット番号管理部５からの数値情報に基づいてカセット毎の付加情報のリンク情報を管理するテーブル管理手段であるテーブル管理部である。
【００１３】
以上のように構成された本実施の形態の磁気記録再生装置において、以下その動作について説明する。
【００１４】
まず、映像音声信号の記録時の動作について説明する。映像音声入力部７に入力された映像音声信号は記録再生部１に入力され、記録媒体であるテープに記録される。また、映像音声入力部７に入力された映像音声信号の記録日時やタイトルなどの付加情報が付加情報発生部８で発生する。その付加情報は、付加情報管理部４に入力され記憶される。一方、映像音声入力部７から記録再生部１へ映像音声信号が出力されたのと同時に、カセット番号生成部２に制御信号を出力する。カセット番号生成部２はその制御信号に基づいて、記録されるカセットに対応した番号をカセット番号として生成する。そのカセット番号を記録再生部１で、映像音声信号と共にテープに記録すると共に、カセット番号管理部５に出力する。カセット番号管理部５に出力されたカセット番号は数値情報に変換され、テーブル管理部６に出力される。テーブル管理部６では、カセット管理部５からの数値情報に基づいて、数値情報（カセット番号）と付加情報管理部４における付加情報とのリンク情報を作成する。
【００１５】
次に再生時の動作について説明する。記録再生部１で映像音声信号を再生すると同時にカセット番号検出部３で、再生中のテープのカセット番号を検出する。映像音声信号は表示部９に入力され、画面表示される。カセット番号検出部３で検出されたカセット番号は、カセット番号管理部５に入力され、カセット番号管理部５に記憶されたカセット番号と照合して、テーブル管理部６においてリンク情報に変換する。そのリンク情報に基づいて、付加情報管理部４で管理しているカセット毎の付加情報を抽出し、表示部９に表示できる。
【００１６】
ここで、カセット番号管理部５からテーブル管理部６を介して付加情報管理部４を制御するまでの動作について、図２を用いて説明する。図２において、３１はカセット番号管理部５で設定されるカセット番号テーブル、３２はテーブル管理部６でカセット番号テーブル３１から変換されたリンク情報、３３はリンク情報３２のリンク状態に基づいて付加情報管理部４で管理される付加情報テーブルである。
【００１７】
一例として、カセットＡに４番組を連続して記録する時の動作について説明する。まず、第１の番組を記録する際、付加情報発生部８で発生した付加情報は付加情報管理部４における、「テーブル番号１」の記憶領域に「付加情報Ａ１」として記憶される。この時、映像音声入力部１から出力された制御信号によりカセット番号生成部２でカセット番号「カセットＡ」が設定され、カセット番号管理部５に出力されると共に、記録再生部１でテープに映像音声信号と共に記録される。カセット管理部５は、カセット番号の情報を数値情報「１」に変換してテーブル管理部６に出力し、テーブル管理部６では、数値情報「１」に相当するリンク番号「１」の領域を、一旦、カセットＡの終端とする。
【００１８】
次に、カセットＡに続けて第２の番組を記録する際、付加情報発生部８で発生した付加情報は付加情報管理部４における、「情報番号２」の記憶領域に「付加情報Ａ２」として記憶される。この時、映像音声入力部１から出力された制御信号によりカセット番号生成部２はカセット番号「カセットＡ」が設定されカセット番号管理部５に出力し、カセット管理部５はカセット番号の情報を数値情報「１」に変換してテーブル管理部６に出力する。テーブル管理部６では、数値情報「１」に相当するリンク番号「１」はすでに使用されているため、リンク番号「１」は、リンク番号「１」から「２」へリンクするよう制御するリンク番号「１−２」に変換される。すると、今度はリンク番号「２」が終端となり、これによりテーブル番号「２」の領域、つまり「付加情報Ａ２」がカセットＡの終端となる。これで、リンク情報３２において、リンク番号「１」と「２」とがリンクし、よって付加情報テーブル３３において「付加情報Ａ１」と「付加情報Ａ２」とがリンクしたことになる。
【００１９】
次に、カセットテープをカセットＡからカセットＢに入れ替えて記録する時、まず、カセットＢにおける第１の番組を記録する際、付加情報発生部８で発生した付加情報は付加情報管理部４における、「テーブル番号３」の記憶領域に「付加情報Ｂ１」として記憶される。この時、映像音声入力部１から出力された制御信号により、カセットが入れ替えられたことを認識し、カセット番号生成部２でカセット番号「カセットＢ」が設定され、カセット番号管理部５に出力されると共に、記録再生部１でテープに映像音声信号と共に記録される。カセット管理部５は、カセット番号の情報を数値情報「３」に変換してテーブル管理部６に出力し、テーブル管理部６では、数値情報「３」に相当するリンク番号「３」の領域を、カセットＢの終端とする。
【００２０】
次に、再びカセットＡに記録する場合、付加情報発生部８で発生した付加情報は付加情報管理部４における、「テーブル番号４」の記憶領域に「付加情報Ａ３」として記憶される。この時、映像音声入力部１から出力された制御信号により、カセットが入れ替えられたことを認識し、カセット番号生成部２でカセット番号「カセットＡ」が設定され、カセット番号管理部５に出力されると共に、記録再生部１でテープに映像音声信号と共に記録される。カセット管理部５は、カセット番号Ａの情報を数値情報「１」に変換してテーブル管理部６に出力するが、テーブル管理部６におけるリンク番号「１」には、前述のように「１−２」が設定されているので、リンク番号「２」に記憶しようとする。しかしリンク番号「２」もすでに使用されて終端なので、リンク番号「２」を、「２」から「４」へのリンク番号「２−４」に変換する。そして、リンク番号「４」は空き領域なので、今度はリンク番号「４」が終端となる。これによりリンク番号「４」に相当するテーブル番号「４」の領域が、カセットＡの終端となる。
【００２１】
この後、同様に番組を記録する場合も付加情報管理部４では、記録される順番に付加情報が記憶されるが、テーブル管理部６において、カセット毎にリンク番号を設定して、カセット毎の付加情報の順番を管理している。
【００２２】
次に、再生時の動作について説明する。
記録再生部１で再生されたカセットのカセット番号をカセット番号検出部３で検出し、カセット番号管理部５に出力する。カセット番号管理部５では検出されたカセット番号を数値情報に変換し、テーブル管理部６に出力してリンク情報を得て、付加情報管理部４でそのリンク情報に基づき付加情報を抽出し、表示部９に表示する。以下、上記動作を詳述する。
【００２３】
例えば、記録再生部１で再生されたカセットのカセット番号が「カセットＡ」だったとする。カセット番号検出部３はこのカセット番号を検出し、カセット番号管理部５に出力する。カセット番号管理部５は、検出されたカセット番号「カセットＡ」を数値情報「１」に変換して出力する。テーブル管理部６はその数値情報「１」からリンク情報を検出する。前述の記録動作に基づいて記録されたものであった場合、数値情報「１」のリンク情報は、「１」−「２」−「４」となっており、この情報を付加情報管理部４に出力する。付加情報管理部４では、このリンク情報に基づいて、付加情報の順番を検出する。本例では、付加情報「Ａ１」−「Ａ２」−「Ａ３」という順序になっており、この順番で表示部９に表示する。
【００２４】
以上のように本実施の形態によれば、テーブル管理部６において、カセット毎にリンク番号を設定して、カセット毎の付加情報の順番を管理しているので、付加情報管理部４において付加情報を発生した順番に記憶できる。
【００２５】
【発明の効果】
以上のように本発明は、テーブル管理部において、カセット毎にリンク番号を設定して、カセット毎の付加情報の順番を管理しているので、付加情報管理部において付加情報を発生した順番に記憶できることより、付加情報を少ない記憶領域で効率的に管理できるという優れた効果が得られる。
【図面の簡単な説明】
【図１】本発明の実施の形態における磁気記録再生装置の構成を示すブロック図
【図２】同実施の形態におけるカセット番号及びリンク情報の構成を示す模式図
【図３】従来の磁気記録再生装置の構成を示すブロック図
【図４】従来の磁気記録再生装置におけるカセット番号及びリンク情報の構成を示す模式図
【符号の説明】
１  記録再生部
２  カセット番号生成部
３  カセット番号検出部
４  付加情報管理部
５  カセット番号管理部
６  テーブル管理部
【図１】
0003598774.tif 000002
【図２】
0003598774.tif 000003
【図３】
0003598774.tif 000004
【図４】
0003598774.tif 000005